(57)【要約】【課題】把持部相互を上下に、挿入して積み重ねることができる把持部付き容器で、複数の容器を積み重ね、一番下の把持部を持ち、運んだ先での各容器の取り出し、分離を簡易にする。【解決手段】 把持部２０１を、筒状をなし、下端２１２を開口して上下方向に延びる大径把持部２１０と、この大径把持部の上端で、上方向き環状端面２１４を介して縮径して上方に延びる小径把持部２２０とを含むものとし、下の容器の小径把持部２２０の上下長の全体が、上の容器の大径把持部２１０の筒状空間に下から隙間嵌めで挿入できるようにした。従来の把持部のように上方に開口した中空錐体（逆円錐体）のものでは、上下の容器の把持部の積み重ね時に、テーパ嵌合となり、把持部相互の内、外周面に密着や食いつきが生じることがあったが、隙間嵌めとしてこれを防いだ。【選択図】  図４
2017006360.tif 000002
【特許請求の範囲】
【請求項１】
容器本体の側方に把持部を備えた把持部付き容器において、
該把持部は、筒状をなし下端を開口して上下方向に延び、相対的に大径をなす大径把持部と、この大径把持部の上端において上方向き環状端面を介して縮径され、該上方向き環状端面を下端として上方に延びる相対的に小径をなす小径把持部とを含んでおり、
該小径把持部は、その上下長の全体が、前記大径把持部の筒状空間に前記開口から隙間嵌めで挿入され得る太さをなすものとされ、
前記把持部は、該大径把持部において前記容器本体の側方に連結されてなることを特徴とする把持部付き容器。
【請求項２】
前記小径把持部の上端部分が、先細り状に形成されていることを特徴とする請求項１に記載の把持部付き容器。
【請求項３】
同形状、同一寸法の前記把持部付き容器が２個ある場合において、そのうちの一方の前記小径把持部における外周面のうち、上下の少なくとも一部が横断面において多角形をなし、該小径把持部の上下長の全体が他方の前記大径把持部の筒状空間に挿入された際に、該小径把持部が、該多角形の部分において該大径把持部の軸線回りに回転できないように、該大径把持部における内周面のうち、上下の少なくとも前記多角形に対応する部位が横断面において多角形とされていることを特徴とする請求項１又は２のいずれか１項に記載の把持部付き容器。
【請求項４】
前記小径把持部はその上端において開口する筒状をなし、前記把持部がその上下の両端において連通する筒構造をなしていることを特徴とする請求項１〜３のいずれか１項に記載の把持部付き容器。
【請求項５】
容器用ホルダの側方に把持部を備えた把持部付き容器用ホルダにおいて、
該把持部は、筒状をなし下端を開口して上下方向に延び、相対的に大径をなす大径把持部と、この大径把持部の上端において上方向き環状端面を介して縮径され、該上方向き環状端面を下端として上方に延びる相対的に小径をなす小径把持部とを含んでおり、
該小径把持部は、その上下長の全体が、前記大径把持部の筒状空間に前記開口から隙間嵌めで挿入され得る太さをなすものとされ、
前記把持部は、該大径把持部において前記容器用ホルダの側方に連結されてなることを特徴とする把持部付き容器用ホルダ。
【請求項６】
前記小径把持部の上端部分が、先細り状に形成されていることを特徴とする請求項５に記載の把持部付き容器用ホルダ。
【請求項７】
同形状、同一寸法の前記把持部付き容器用ホルダが２個ある場合において、そのうちの一方の前記小径把持部における外周面のうち、上下の少なくとも一部が横断面において多角形をなし、該小径把持部の上下長の全体が他方の前記大径把持部の筒状空間に挿入された際に、該小径把持部が、該多角形の部分において該大径把持部の軸線回りに回転できないように、該大径把持部における内周面のうち、上下の少なくとも前記多角形に対応する部位が横断面において多角形とされていることを特徴とする請求項５又は６のいずれか１項に記載の把持部付き容器用ホルダ。
【請求項８】
前記小径把持部はその上端において開口する筒状をなし、前記把持部がその上下の両端において連通する筒構造をなしていることを特徴とする請求項５〜７のいずれか１項に記載の把持部付き容器用ホルダ。
【発明の詳細な説明】
【技術分野】
【０００１】
本発明は、飲み物（飲料）等を入れるためのジョッキやコップのような把持部（手に持つ部分、又は取っ手ともいわれる）の付いている把持部付き容器、及び、把持部の付いていない容器の保持や、持ち運びに使用される把持部付き容器用ホルダに関する。
【背景技術】
【０００２】
例えば、飲食店やスポーツ観戦（競技）場の売店で、店のスタッフや客が、コップ等の容器に飲み物や食べ物を入れてテーブルや席に運ぶ場合において、それが把持部を備える容器では、片手で、その把持部を束に重ねるようにして併せ持つなどして運ぶことができるから、人や容器の大きさ、或いは内容物にもよるが、熟練したスタッフや慣れた客になると、片手で２、３個でも容易に運ぶことができる。
【０００３】
こうした中、不慣れなスタッフや客でも、片手でさらに多くの容器を同時に運ぶことができる容器（飲料用カップ）として、上下に延びる把持部（把手部）を、上方を開口する中空錐体形状（逆円錐筒形状など）として備えたものが知られている（特許文献１（図６）参照）。このものでは、その中空錐体形状（逆円錐筒形状など）の把持部に、別の同一容器の把持部を上から挿入するように積み重ねることで、複数を同時に持ち運ぶことができる。すなわち、飲料等が注ぎ込まれた容器（以下、単に容器ともいう）が上下方向に重ならないように、把持部を中心として容器本体を周方向において展開して把持部同士を積み重ねる。こうすることで、中空錐体（テーパ形状）をなす把持部同士は、相互にテーパ嵌合となるため、１段目の容器の把持部（一番下に位置する把持部）を把持することで、複数の容器を同時に運べる、というものである。
【０００４】
また、把持部の付いていないコップ等の容器の持ち運びに使用される把持部付き容器用ホルダ（容器本体を包囲し又は収容等して支持可能に形成されホルダと、その側方に把持部を備えた把持部付き容器用ホルダ。カップホルダ、又は単にホルダともいわれる）においても、その把持部を、前記把持部付きの容器と同様の中空錐体形状（逆円錐筒形状など）として備えたものが知られている（特許文献１（図１）参照）。このものでも、同様の把持部の構造に基づき、それを積み重ねることで複数の容器を同時に運べる。
【先行技術文献】
【特許文献】
【０００５】
【特許文献１】特開２００５−８０９１４号公報
【発明の概要】
【発明が解決しようとする課題】
【０００６】
ところが、上記した特許文献１の容器（及びカップホルダ）では、次のような解決すべき課題があった。というのは、その容器（及びカップホルダ）による飲料の運搬において、運搬先の例えば、テーブル又は席に到着して、各人等に個別の容器を手渡しする際においては、必然的に、上の容器（又はカップホルダ）の把持部を下の容器の把持部から抜き取る（取り出す）動作が必要になるところ、それが容易にできない場合があるという問題である。これは、把持部の積み重ねにおいては、錐体形状によるテーパ嵌合になることから、それによって把持部相互間が密着してしまうことがあるためである。
【０００７】
とりわけ、飲料の運搬に供される場合には、その飲料が上下の容器の把持部（中空錐体）における、内、外周面相互間に付着しやすく、これが密着作用ないし接着作用を果たすことから、その問題が発生しやすい。一方、ビールジョッキのように並並と注がれる場合には、ガタツキを無くし運搬途中の安定性を高めるため、錐体の内外の壁面を同じ角度（テーパ角度）とする必要があるが、このようにすると、単に密着性等を高めてしまうだけでく、食付きも生じることがあるため、運搬先での手渡し時に、こぼしてしまうなどのトラブル発生の原因となることもある。このような問題はその把持部の形状、構造に起因するものであるから、把持部付きの容器でなく、把持部付き容器用ホルダを用いる場合にも同様のことが言える。
【０００８】
本発明は、このような課題に鑑みてなされたもので、上記した把持部付き容器、又は把持部付き容器用ホルダを用い、積み重ね状態にある複数の容器（又はホルダ）のうち、一番下の把持部を持って運んだ運搬先での各容器（又はホルダ）の取り出し、分離において、把持部相互の密着や食付きもなく、円滑かつ簡易にその取り出しができるようにすることを目的とする。
【課題を解決するための手段】
【０００９】
請求項１に記載の本発明は、容器本体の側方に把持部を備えた把持部付き容器において、
該把持部は、筒状をなし下端を開口して上下方向に延び、相対的に大径をなす大径把持部と、この大径把持部の上端において上方向き環状端面を介して縮径され、該上方向き環状端面を下端として上方に延びる相対的に小径をなす小径把持部とを含んでおり、
該小径把持部は、その上下長の全体が、前記大径把持部の筒状空間に前記開口から隙間嵌めで挿入され得る太さをなすものとされ、
前記把持部は、該大径把持部において前記容器本体の側方に連結されてなることを特徴とする。
【００１０】
請求項２に記載の本発明は、前記小径把持部の上端部分が、先細り状に形成されていることを特徴とする請求項１に記載の把持部付き容器である。
請求項３に記載の本発明は、同形状、同一寸法の前記把持部付き容器が２個ある場合において、そのうちの一方の前記小径把持部における外周面のうち、上下の少なくとも一部が横断面において多角形をなし、該小径把持部の上下長の全体が他方の前記大径把持部の筒状空間に挿入された際に、該小径把持部が、該多角形の部分において該大径把持部の軸線回りに回転できないように、該大径把持部における内周面のうち、上下の少なくとも前記多角形に対応する部位が横断面において多角形とされていることを特徴とする請求項１又は２のいずれか１項に記載の把持部付き容器である。
請求項４に記載の本発明は、前記小径把持部はその上端において開口する筒状をなし、前記把持部がその上下の両端において連通する筒構造をなしていることを特徴とする請求項１〜３のいずれか１項に記載の把持部付き容器である。
【００１１】
請求項５に記載の本発明は、容器用ホルダの側方に把持部を備えた把持部付き容器用ホルダにおいて、
該把持部は、筒状をなし下端を開口して上下方向に延び、相対的に大径をなす大径把持部と、この大径把持部の上端において上方向き環状端面を介して縮径され、該上方向き環状端面を下端として上方に延びる相対的に小径をなす小径把持部とを含んでおり、
該小径把持部は、その上下長の全体が、前記大径把持部の筒状空間に前記開口から隙間嵌めで挿入され得る太さをなすものとされ、
前記把持部は、該大径把持部において前記容器用ホルダの側方に連結されてなることを特徴とする。
【００１２】
請求項６に記載の本発明は、前記小径把持部の上端部分が、先細り状に形成されていることを特徴とする請求項５に記載の把持部付き容器用ホルダである。
請求項７に記載の本発明は、同形状、同一寸法の前記把持部付き容器用ホルダが２個ある場合において、そのうちの一方の前記小径把持部における外周面のうち、上下の少なくとも一部が横断面において多角形をなし、該小径把持部の上下長の全体が他方の前記大径把持部の筒状空間に挿入された際に、該小径把持部が、該多角形の部分において該大径把持部の軸線回りに回転できないように、該大径把持部における内周面のうち、上下の少なくとも前記多角形に対応する部位が横断面において多角形とされていることを特徴とする請求項５又は６のいずれか１項に記載の把持部付き容器用ホルダである。
請求項８に記載の本発明は、前記小径把持部はその上端において開口する筒状をなし、前記把持部がその上下の両端において連通する筒構造をなしていることを特徴とする請求項５〜７のいずれか１項に記載の把持部付き容器用ホルダである。
【発明の効果】
【００１３】
請求項１に記載の本発明の把持部付き容器を複数、同時に運ぶ場合には、上記構成により、１つの把持部付き容器（以下、第１容器ともいう）における把持部の小径把持部に対し、別の把持部付き容器（以下、第２容器ともいう）における把持部の大径把持部を、上から下に被せるように外嵌する（積み重ねる）。このとき、第２容器における容器本体が、第１容器における容器本体に干渉しないように、平面視、展開する。こうすることで、第１容器の小径把持部は第２容器の大径把持部内に隙間嵌め状態となり、第２容器の把持部における大径把持部の下端が、第１容器の把持部における大径把持部の上端をなす上方向き環状端面に当接して支持された状態となる。以下、この隙間嵌め状態を、把持部の積み重ね状態又は単に積み重ね状態（嵌め合い状態）ともいう。これにより、積み重ねられた複数の容器は、下の第１容器における大径把持部を持ち上げることで、それらを同時に運搬できる。なお、容器が３以上である場合には、上の容器における把持部の小径把持部に対し、別の容器の大径把持部を前記したのと同様に外嵌し、積み重ねればよい。
【００１４】
なお、本発明において、前記したように上下に容器を積み重ねたときは、第２容器の把持部における大径把持部の下端が、第１容器の把持部における大径把持部の上端をなす上方向き環状端面に当接して支持された状態となるのが原則であるが、この当接は、直接ではなく、間接的に行われる場合も含まれる。例えば、第１容器の大径把持部の上端をなす上方向き環状端面の上において上方に延びる小径把持部に、別のリング（又は筒）を１段又は複数段で脱着可能に外嵌し、このリング（複数の時は一番下のもの）の下端がその上方向き環状端面に接するようにした場合である。すなわち、この場合には、第２容器の把持部における大径把持部の下端は、このリングの上端をなす上方向き環状端面に当接することになる。このようなリングは、大径把持部とは別の着色で多（多色）種類用意しておき、容器の使用等の過程で、それに個別に、別の色のリングを識別用に取り付けておくことで、多数の積み重ねがあるような場合でも、自己の容器が容易に分かり、手渡し等において便利である。なお、このようなリングは、接着等により固定しておいてもよく、したがって、その場合には、大径把持部はリングも含めた複合構造のものとなり、そのリングの上端が大径把持部の上端をなす上方向き環状端面となる。
【００１５】
このような本発明の容器によれば、把持部の積み重ね状態において、下の容器の小径把持部が、上の容器の大径把持部内に、その上下長の全体が隙間嵌めで挿入され、その状態において、上の容器の大径把持部の下端は、下の容器の大径把持部の上端をなす上方向き環状端面にて当接し、支持される。すなわち、本発明では把持部が、従来におけるようなテーパ嵌合となりがちな上方に開口した中空錐体（逆円錐体）ではなく、上記構成の通りであるから、上下の容器の把持部の積み重ね状態において、上の容器の大径把持部の内周面と、下の容器の小径把持部の外周面相互間において、密着や食いつきが生じることを回避できる。
【００１６】
これにより、このような容器においては、これに飲料等を入れて、積み重ね状態として持ち運び、その運搬先で、個別の容器に分離し、手渡す際でも、円滑かつ簡易に把持部の取り出し（抜き取り）ができる。なお、小径把持部の長さ（上下長）や、隙間嵌めにおける隙間は、上記積み重ねにおける上下の容器相互間の傾きや、がたつきがなるべく小さく、かつ、把持部の積み重ね（挿入）が困難とならないように、容器の大きさや、高さ、種類等に応じて設定すればよい。なお、小径把持部及び大径把持部は、共に真っ直ぐに延びる筒とし、小径把持部における横断面の外径（外周面形状）、大径把持部における横断面の内径（内周面形状）は、それぞれ上下に、同一形状、同一寸法とするのがよいが、把持部の積み重ね状態（隙間嵌め状態）において、密着や食付きが避けられる限り、上下に微小なテーパが付けられていてもよい。なお、本発明の容器によれば、キャンプなどのアウトドア活動において設営、張設されるテントの固定用のペグの先端、或いは、飲食店等においてもサーバー近傍に立設された適宜の突起先端を、いわば、下の容器の小径把持部に見立てることで、その上に順次、大径把持部を積み重ねることもできる。このような場合には、一番下の容器を人が把持することを要せずして、積み重ねができるので極めて便利である。
【００１７】
請求項２に記載の発明では、前記小径把持部の上端部分が、先細り状に形成されていることから、上の容器の大径把持部を外嵌めする際のガイド作用が得られるので、把持部の積み重ねが容易となる。また、本発明において、把持部をなす大径把持部、小径把持部は、共に、その内、外周面とも、横断面が円であってもよいが、円でなくともよい。一方、請求項３に記載の発明のようにすれば、把持部の積み重ね状態において、その把持部相互が自由に回転するのを防止できるので、運搬における安定が得られる。なお、ここに多角形は、把持部の積み重ねの容易化が図られるように、隙間嵌めにおける隙間や容器本体の大きさ（直径）等にもよるが、なるべく多数の多角形とするのがよく、しかも、正多角形とするのがよい。ただし、本発明における多角形又は正多角形は、数学や図学における意味の多角形又は正多角形だけでなく、工業製品一般において、多角形又は正多角形と認められるものも含む。例えば、正方形の角に適宜の面取りが付けられているものも正方形である。なお、上記したようなリングを多角形の小径把持部に取付ける（外嵌めする）場合、そのリング自体は回転しても、しなくてもよいが、適度の締り嵌めで固定されるようにするのがよい。
【００１８】
そして、本発明において、前記小径把持部は、中実の軸部材としてもよいが、中空の軸部材、すなわち、筒体とするのがよい。そして、筒体とする場合には、請求項４に記載の発明のように、その上端を開口させ、把持部全体として上下に連通する筒構造とするのがよい。このように、把持部を上端から下端に向けて貫通状にすれば、積み重ねる際の空気抜きにもなるし、水洗い等における洗浄液の排出も容易となるなど、内部に入り込んだ飲料等の液の除去や掃除も容易となるからである。
【００１９】
なお、本発明において、把持部をなす大径把持部、小径把持部は、筒構造とするとしても、その筒は、流体搬送が可能な壁を有するような筒（管）とする必要はなく、例えば、壁が網構造の筒であってもよい。容器の把持部として機能できればよいためである。そして、大径把持部と小径把持部は、同軸状のものとするのが好ましいが、偏心していてもよい。
【００２０】
前記把持部は、該大径把持部において前記容器本体の側方に連結されていればよいが、なるべく、該大径把持部の上端または上端寄り部位において容器本体と連結するのがよい。そして、この場合には、容器本体（側壁の外面）と前記把持部との間には、指を通すことのできる間隔が保持される設定としておくとよい。このようにしておけば、積み重ね状態における下（一番下）の容器における該大径把持部を把持した際に、その連結部位（連結箇所）の下に、指を回すことで、その持ち上げの安定が図られるためである。しかも、容器本体がその上方を大径とする下すぼまりのテーパ形状のものであるときは、不使用時の収納において、容器本体同士も適度に、上下に嵌合状態として積み重ねることができるためである。
【００２１】
なお、本発明の把持部付き容器では、容器本体と把持部とを連結部位を介して一体（同体）で成形してもよいし、容器本体と把持部とを別に成形等して製造し、別部品である連結部位又は連結部材等を介して連結してもよい。また、別に成形等して製造した、容器本体と把持部との少なくとも一方に連結部位を設けておき、別途の固定（連結）手段等を介して連結してもよい。
【００２２】
請求項５〜８に記載の発明においては、容器用ホルダの側方に把持部を備えた把持部付き容器用ホルダにおいて、前記した把持部を適用したものである。このため、そのホルダに対し、コップ等の容器を支持させた状態とすることで、請求項１〜４に記載の発明における把持部付き容器と同様のものとなる。よって、そのようにした状態において、その把持部を上記したのと同様に積み重ねることで、請求項１〜４に記載の発明における把持部付き容器と同様の作用効果が得られる。なお、容器用ホルダは、例えば、支持しようとするコップが、上方を大径とする下すぼまりのテーパ形状のもの（逆円錐台形状のもの）であるときは、その上下の中間部位の外径を内径とするようなリング（環状体）や、Ｃ字状の有端リング、或いは、そのコップ自体を受け入れ得る上方を開口した壁構造の箱（容器）、格子構造の箱など、適宜のものとすればよい。すなわち、ホルダ自体は、別のコップ等の容器を包囲し、収容し、又は載置するようにして支持可能とされていればよい。
【図面の簡単な説明】
【００２３】
【図１】本発明の把持部付き容器を具体化した実施の形態例（第１実施例）の一部破断正面図と、把持部を上から見た図（Ａ１矢視部分図）。
【図２】図１におけるＳ１−Ｓ１線断面拡大図。
【図３】図１におけるＳ２−Ｓ２線断面拡大図。
【図４】第１実施例の容器（２個）を把持部で積み重ねたときの説明図。
【図５】図４の平面図。
【図６】把持部の構造を変えた容器の別例（第２実施例）を説明する一部省略破断正面図。
【図７】容器本体と把持部との連結手段の別例（第３実施例）を説明する図。
【図８】本発明の把持部付き容器用ホルダを具体化した実施の形態例の一部破断正面図。
【図９】図８の平面図。
【発明を実施するための形態】
【００２４】
本発明の把持部付き容器を具体化した実施の形態例（第１実施例）について、図１〜図５に基づいて詳細に説明する。図中、１００は、本例の把持部付き容器（以下、単に容器ともいう）であり、逆円錐台形状のコップ状の容器本体１０１の側方に、上下に延び、筒（管）構造をなす把持部２０１が、連結部位２０３を介して連結されている。なお、本例容器は樹脂製で一体成形されたものである。容器本体１０１は、その底部１０３、側壁（周壁）１０５を適度の肉厚のものとして形成されているが、それ自体は周知のコップ形状のものである。なお、上端１０７を含む口元部分の側壁面は、所定の上下範囲で円筒面とされている。
【００２５】
一方、把持部２０１は、筒状をなし下端２１２を開口して上下方向に延び、相対的に大径をなす大径把持部２１０と、この大径把持部２１０の上端２１３において、相対的に小径をなし、同軸で上方に筒状をなして延びる小径把持部２２０とからなる同軸異径筒構造をなしている。本例において、小径把持部２２０は大径把持部２１０よりその上下長が短くされており、大径把持部２１０の上下長（筒長）Ｌ１は、把持部２０１全体の上下長に対し、例えば、３／５程度とされている。また、小径把持部２２０は、大径把持部２１０の上端２１３において、その異径の境界部である上方向き環状端面２１４を介して縮径される形をなし、その上方向き環状端面２１４を下端として上方に延ばされたものとされている。ただし、小径把持部２２０は、その上端部分２２２の外周面が先細りテーパとされている。そして、小径把持部２２０の上端（例えばその中央）２２３は開口（上下に貫通）されている。これにより、本例の把持部２０１は、全体において上下方向において貫通する筒構造を呈している。なお、本例では大径把持部２１０の下端２１２は、容器本体１０１の底部１０３の下端より若干も上方に位置する設定とされているが、両者の下端は、安定のため同一高さとしてもよい。他方、小径把持部２２０の上端２２３は、容器本体１０１の上端と、同一高さとされているが、これは、容器本体１０１の上端１０７より若干、上でも下としてもよい。
【００２６】
本例の大径把持部２１０は、外周面２１６がその略全長にわたり横断面において同径の円形とされているが、その中空部をなす内周面２１７は、本例ではその略全長にわたり横断面が、同径、同大の例えば、外周面２１６と同心の正十角形とされている（図１、図２参照）。一方、小径把持部２２０は、上端部分２２２（先細りテーパの部分）を除き、外周面２２６が横断面において上下に同一であり、大径把持部２１０の中空部をなす内周面２１７の横断面より一回り小さい同じ多角形（正十角形）とされている（図１、図３参照）。ただし、両者の横断面の寸法関係は、本例の容器１００と同じ形状、寸法の容器である別の容器における小径把持部２２０が、大径把持部２１０の中空部にその下端２１２の開口から隙間嵌めで挿入され得るだけでなく、横断面が多角形の嵌め合いにより、両者が相対的に軸線Ｇの回りに回転できない設定とされている。すなわち、小径把持部２２０の横断面における外周面２２６の対角寸法（Ｄｋ）は、大径把持部２１０の横断面における内周面２１７の対辺寸法（Ｄｈ）より大きくされ、嵌合時の相対的回転を防止している。なお、隙間嵌めの程度は、挿入長さにもよるが、その小径把持部２２０に、別の容器の大径把持部２１０を外嵌するように積み重ねたときに、大きな傾斜や径方向における大きなガタツキが出ない程度に、そして、容器本体１０１の大きさ等と、積み重ねのし易さを考慮して設定すればよい。
【００２７】
そして、この積み重ねにおいては、図４に示したように、別の容器（図４の上の容器）１００の大径把持部２１０の下端２１２が、当該容器（図４の下の容器）１００の大径把持部２１０の上端２１３における上方向き環状端面２１４に当接して支持されるようになっている。このとき、当該容器１００の小径把持部２２０の先端２２３と、別の容器１００の大径把持部２１０の中空部（筒状部内）の上端との間には、所定高さの空間Ｈｋが保持される設定とされている。すなわち、大径把持部２１０の中空部の上下高さは、小径把持部２２０の全長Ｌ２より十分大きくされている。
【００２８】
一方、把持部２０１は、大径把持部２１０の上端２１３寄り部位において容器本体１０１の側方（側壁１０５）に、連結部位２０３を介して連結されている。この連結部位２０３により、本例では通常の人が片手で、大径把持部２１０を握るとき、その指が、その連結部位２０３によって形成されている容器本体１０１の側壁１０５と、把持部２０１との間の空間に回り込むことができる設定とされている（図４参照）。
【００２９】
本例において大径把持部２１０と小径把持部２２０とは、大径把持部２１０の内周面２１７の横断面と、小径把持部２２０の外周面２２６の横断面とに、上記したような形状、及び寸法関係があり、しかも、それらの長さの寸法関係がある。これにより、本例の把持部付き容器１００が複数ある場合、１つの容器（第１容器。図４の下の容器１００ａ）の把持部２０１における小径把持部２２０は、その上下長の全体が、他の容器（第２容器。図４の上の容器１００ｂ）の把持部２０１における大径把持部２１０の筒状空間に下端２１２の開口から隙間嵌めで挿入され得る。これにより、第１、第２の両容器１００ａ，１００ｂの各容器本体１０１が、上下方向において重ならないように適宜の角度ずらし（図５参照）、かつ、第１容器１００ａの小径把持部２２０の外周面２２６の多角形と、第２容器１００ｂの大径把持部２１０の中空部（内周面）の多角形が合致するようにして、第１容器１００ａの小径把持部２２０を第２容器１００ｂの大径把持部２１０の中空部内に挿入するようにする。このとき、第１容器１００ａの小径把持部２２０の下端（大径把持部２１０の上端２１３）の上方向き環状端面２１４が、第２容器１００ｂの大径把持部２１０の下端２１２に当接し、第２容器１００ｂを支持することになる。
【００３０】
すなわち、本例では、このように、複数の容器における把持部２０１の積み重ね状態とすることにより、積み重ねられた複数の容器は、図４に例示したように、下の第１容器１００ａにおける大径把持部２１０を把持する（持ち上げる）ことで、それらを同時に運搬できる。容器が３以上である場合には、図４における第２容器１００ｂにおける把持部２０１の小径把持部２２０に対し、別の容器の大径把持部を前記したのと同様に外嵌し、積み重ねればよい。
【００３１】
そして、このような積み重ね状態は、把持部が、従来におけるようなテーパ嵌合となりがちな上方に開口した中空錐体（逆円錐体）相互の積み重ねではなく、隙間嵌めでの積み重ね状態となるから、上の容器（第２容器１００ｂ）の大径把持部２１０の内周面２１７と、下の容器（第１容器１００ａ）の小径把持部２２０の外周面２２６相互間において、密着や食いつきが生じることがない。これにより、本例容器１００に例えば飲料を入れて、積み重ね状態として持ち運び、その運搬先で、個別に分離し、手渡す際でも、例えば、上から順番に容器を１つずつ、当該容器における把持部２０１を持ち上げることで、円滑かつ簡易に取り出し、手渡すことができる。なお、図４中の右下の半断面拡大図に示したように、第１容器１００ａの小径把持部２２０に、その大径把持部２１０の上端２１３の上方向き環状端面２１４に接するように、大径把持部２１０とは別の色の円リング（又は円筒）２５０を外嵌しておき、第２容器１００ｂの大径把持部２１０の下端２１２がこの円リング２５０の上端（上方向き環状端面）２５４に当接し、第２容器１００ｂを支持するようにしておいてもよい。このようなリング２５０を、大径把持部２１０とは別の着色で多（多色）種類用意しておき、容器ごとに分けて別の色のリングを識別用に取り付けておくことで、多数の積み重ねがあるような場合でも、自己の容器が容易に分かり、手渡し等において便利である。なお、このリング２５０自体は、小径把持部２２０の軸回りに回転しても構わないので、単なる円リングとしてもよいが、大径把持部２１０と同一横断面のもの（内周面多角形）としておき、回転しないようにしておいてもよい。このリング２５０は把持のし易さ等を考慮してその外径を設定すればよく、大径把持部２１０と同一径でも違径でもよい。また、接着や圧入等により固定しておいてもよいが、その場合には、そのリング２５０の上端２５４が実質的に大径把持部２１０の上方向き環状端面となる。
【００３２】
本例では、小径把持部２２０の上端部分２２２が先細りテーパとされており、それが積み重ねに際してのガイドとなる。これにより、目測で容易に、小径把持部２２０の先端を大径把持部２１０の下端２１２の中空部に入り込ませることができるし、小径把持部２２０に対し、上から別の容器の大径把持部２１０を容易に外嵌できるから、把持部２０１の積み重ねの簡易、迅速化も図られる。また、本例では、上記したように、隙間嵌め状態をなす大径把持部２１０の内周面２１７と、小径把持部２２０の外周面２２６を、横断面において回り止め作用の得られる寸法関係の多角形としているため、把持部２０１の積み重ね状態において、その把持部２０１相互が、すなわち、容器本体１０１相互が自由に動くのを防止できるので、運搬における安定が得られる。なお、本例では正十角形としたが、その多角形の角数は適宜に設定すればよいが、なるべく任意位置での展開が得られるように、多くの角の多角形とするのがよい。
【００３３】
さらに、本例では、小径把持部２２０も筒体とし、かつ、その上端２２３を開口させ、大径把持部２１０の筒状内空間に連通させ、把持部２０１を上端から下端に向けて貫通させているため、積み重ねる際の空気抜きもできる。このため、隙間嵌めにおける隙間が小さいとしても、その積み重ねにおいて、空気の逃がしが問題となることもない。さらに、水洗い等における洗浄液の排出も容易となるなど、把持部２０１内に入り込んだ飲料等の液の除去や掃除が容易となる。なお、本例では、容器本体１０１の形状を逆円錐台形状とし、かつ、把持部２０１が大径把持部２１０の上端２１３または上端寄り部位において容器本体１０１と連結されているため、積み重ね状態で、保管収納する際には、順次上の容器本体１０１が上下に部分的に嵌りあうため、省スペース化が図られるので便利である（図４参照）。
【００３４】
上記例では、容器本体１０１がコップとして、飲み物（飲料）等を入れるための把持部付き容器において具体化したが、容器本体１０１は、このようなものに限定されるものではない。高さの低いボール形状（上方を開口する半球形状）や、皿状の容器においても適用できるし、コップである場合も含め、いずれの容器本体であっても、その容器本体１０１の上端１０７には、ヒンジを介して開閉する蓋や、別個独立（取り外し自在）の蓋を取り付け、その上端開口を塞ぐことができるようにしておいてもよい。また、それらの蓋には、必要に応じて、ストロー等の差込口を設けておいてもよい。すなわち、容器本体自体の用途、形状、構造等は、飲み物（飲料）や食べ物（食料）に応じて適宜のものとすればよいだけでなく、収容するものがこれら以外のものであっても広く適用できるし、蓋の有無にかかわらず、ティーポットやウォーターピッチャーのような注ぎ口のあるものにも適用できる。
【００３５】
なお上記例では、小径把持部２２０の外周面２２６を、先端部分２２２を除き、上下に同一横断面形状、同一寸法のものとし、また、大径把持部２１０の内周面２１７についても、上下に、同一横断面形状、同一寸法のものとし具体化したが、本発明においては、これらに限定されるものではない。また、上記例では、回り止めが得られるようにするのに、小径把持部２２０については先端部分２２２を除いた全部分を多角形としたが、これは、その上下の一部のみの外周面を多角形とするだけでもよい。図６は、そのような把持部２０１とした容器の別例（第２実施例）を示したものである。なお、以下、本例も含め上記例と同一又は共通する部位には同一の符号を付すに止める。すなわち、図６では、小径把持部２２０は、その上下長Ｌ２の中間位置より下方部分Ｌｋのみの外周面２２６ａを、上記例におけるＳ２−Ｓ２線断面と同様の横断面形状（正多角形）としており、それより上方をその正多角形の対辺寸法より小さめの外径の横断面円形（図６中、ハッチング図示）としている。このようにしても、下方部分Ｌｋの多角形により、回転防止は得られる。なお、小径把持部２２０が挿入される大径把持部２１０の内周面については、その上下長の全体にわたって、上記例におけるＳ１−Ｓ１線断面と同様の横断面形状（正多角形）としておいてもよいが、図６に示したように、小径把持部２２０の下方部分（多角形部分）Ｌｋが受け入れられるよう、下端２１２から上方に向かう所定範囲Ｌｓだけを正多角形の内周面２１７とし、それより上方は、小径把持部２２０の上方部位の横断面円形部位を隙間嵌めで受け入れ得る円形の内周面２１７ｂとしておいてもよい。
【００３６】
すなわち、積み重ね状態において、一方の容器の大径把持部２１０に対する、他方の容器の小径把持部２２０の回転を防止するために、それぞれの内、外周面を多角形とするのは、小径把持部２２０の全体が、大径把持部２１０の筒状空間に開口から隙間嵌めで挿入されている状態において、小径把持部２２０の上下のいずれかの部位で、その回り止め作用が得られる横断面、多角形同士の嵌合が確保されていればよい。なお、このような回転を許容するならば、小径把持部２２０の外周面を横断面円形とし、大径把持部２１０の内周面をこれを隙間嵌めで内挿し得るよう、その先後長全体とも横断面円形としておけばよい。
【００３７】
また、上記例では、容器本体１０１と把持部２０１とが、連結部位２０３も含めて一体のもの（一体成形されたもの）として具体化したが、把持部２０１と容器本体１０１とは、別に製造しておき、その少なくとも一方に設けた連結部位において、両部品を結合することとしておいてもよい。例えば、図７に示した第３実施例のように、容器本体１０１の側壁（周壁）１０５において、上下に、例えば四角形の穴（正方形穴）２０３ｄが貫通して設けられた連結部位２０３ｃを外方に突出形成しておく一方、把持部２０１をなす大径把持部２１０の上部には、把持部側連結部位２０３ａを側方に突出形成しておくと共に、その上面に、正方形穴２０３ｄに適度の圧入状態で嵌入され得る横断面四角の嵌合軸２０３ｂを設けておき（図７−Ａ参照）、その四角穴２０３ｄに下からこの嵌合軸２０３ｂを押し込むことで、図７−Ｂに示したように、容器本体１０１と把持部２０１とが連結される構造としておいてもよい。なお、その連結において接着等する場合には、隙間嵌めとしておいてもよい。
【００３８】
次に、図８、図９基づき、別個、独立の容器Ｙを分離自在に支持可能に形成された容器用ホルダ４０１の側方に把持部を備えた把持部付き容器用ホルダ５０１を具体化した実施の形態例についていて説明する。ただし、この容器用ホルダ５０１は、前記した把持部付き容器１００の実施形態例におけるその容器本体１０１の部位が、ホルダ４０１、すなわち、容器Ｙを分離自在に支持可能に形成されホルダ４０１に変わっただけであり、他は把持部２０１を含め、前記した把持部付き容器１００の実施形態例におけるのと異なる点はない。したがって、同一の部位、箇所には同一の符号を付すに止め、そのホルダ４０１についてのみ説明する。
【００３９】
図８、図９に示したように、本例では、上記した把持部付き容器１００の実施形態例（第１実施例）におけるのと同じ大径把持部２１０の上端２１３寄り部位において横向きに延びる連結部位２０３の先端に、別固独立の容器Ｙを支持可能に形成されホルダ４０１として円リング体４０３が一体（一体成形）で設けられている。本例では、支持すべき容器Ｙが、上方を大径とする下すぼまりのテーパ形状の容器（逆円錐台形状のコップ）であるため、その円リング体４０３の内径が、その容器Ｙにおける上下の中間部位の外径と同程度に設定されている。しかして、容器（逆円錐台形状のコップ）Ｙをこの円リング体４０３内に、上から挿入することでその容器Ｙがホルダ４０１に支持され、いわば、上記例における把持部付き容器１００と同様のものとなる。したがって、このような容器Ｙに飲料を入れ、或いは、飲料を入れた容器Ｙをそのホルダ４０１に嵌め入れ、支持させたものとして、上記例におけるのと同様に、把持部２０１相互を積み重ねることで、上記したのと同様に持ち運ぶことができ、そして、その運搬先での個別に手渡す時においても、上記例におけるのと同様の効果が得られる。
【００４０】
なお、ホルダ４０１は、容器が逆円錐台形状のコップである場合には、円リング体４０３に代え、図９に示したように、その一部（２点鎖線部分）を切り欠いたような、Ｃ字状の有端リングとしてもよい。また、ホルダは、このようなリング状のものではなく、支持すべき容器形状にかかわらず、それらの容器自体を受け入れ得る上方を開口した箱（容器）、皿形状、上方を開口した網又は格子からなる箱（又は容器）等など、適宜の形状、構造のものとして具体化できる。すなわち、ホルダ自体は、別のコップ等の容器を包囲し、収容し、又は載置するようにして支持可能に形成されたものでありさえすればよい。なお、このものでも、把持部は、把持部付き容器における把持部と同様、上記したように変更して具体化できるし、ホルダ４０１と把持部２０１は、それぞれ別体のものとして形成しておいて、組み合わせることもできる。
【００４１】
本発明は、上記した実施形態例のものに限定されるものではなく、把持部をなす大径把持部、小径把持部の横断面形状、或いは、両者の長さ比等については、本発明の要旨を逸脱しない範囲において適宜に変更して具体化できる。また、上記例では、樹脂製のものとして具体化したが、金属製、或いは陶器製、或いは、使い捨て用に紙製のものとしても具体化できる。
【符号の説明】
【００４２】
１００  把持部付き容器
１０１  容器本体
２０１  把持部
２１０  大径把持部
２１２  把持部の下端
２１３  大径把持部の上端
２１４  上方向き環状端面
２１７，２１７ａ，２１７ｂ  大径把持部における内周面
２２０  小径把持部
２２２  小径把持部の上端部分
２２３  小径把持部の上端
２２６、２２６ａ，２２６ｂ  小径把持部における外周面
４０１  容器用ホルダ
５０１  把持部付き容器用ホルダ
Ｇ  大径把持部の軸線
【図１】
2017006360.tif 000003
【図２】
2017006360.tif 000004
【図３】
2017006360.tif 000005
【図４】
2017006360.tif 000006
【図５】
2017006360.tif 000007
【図６】
2017006360.tif 000008
【図７】
2017006360.tif 000009
【図８】
2017006360.tif 000010
【図９】
2017006360.tif 000011